【手続補正書】
【提出日】平成25年7月3日(2013.7.3)
【手続補正１】
【補正対象書類名】特許請求の範囲
【補正対象項目名】全文
【補正方法】変更
【補正の内容】
【特許請求の範囲】
【請求項１】
撮像装置と、投影装置とからなる投影システムであって、
前記投影装置は、
前記撮像手段により撮像された画像を受信する第１の受信手段と、
前記第１の受信手段により受信された画像を投影面に投影する投影手段と、
前記投影装置の設置状態に関する情報を前記撮像装置に送信する第１の送信手段と、を有し、
前記撮像装置は、
撮像手段と、
前記撮像手段により撮像された画像を前記投影装置に送信する第２の送信手段と、
前記撮像手段により撮像された画像を表示する表示手段と、
前記投影装置の設置状態に関する情報を受信する第２の受信手段と、を有し、
前記表示手段は、前記投影手段から送信された前記投影装置の設置状態に関する情報に基づく画像を前記撮像手段により撮像された画像に重畳して表示することを特徴とする投影システム。
【請求項２】
前記投影装置の設置状態に関する情報は、前記投影装置の傾斜角に関する情報を含むことを特徴とする請求項１に記載の投影システム。
【請求項３】
前記投影装置の設置状態に関する情報は、前記投影装置の投影角に関する情報を含むことを特徴とする請求項１または２に記載の投影システム。
【請求項４】
前記投影装置の設置状態に関する情報は、前記投影装置のズームレンズの状態に関する情報を含むことを特徴とする請求項１から３のいずれか１項に記載の投影システム。
【請求項５】
前記投影装置の設置状態に関する情報は、前記投影装置のシフトレンズの状態に関する情報を含むことを特徴とする請求項１から４のいずれか１項に記載の投影システム。
【請求項６】
前記表示手段は、前記投影手段から送信された前記投影装置の設置状態に関する情報に基づく枠画像を前記撮像手段により撮像された画像に重畳して表示することを特徴とする請求項１から５のいずれか１項に記載の投影システム。
【請求項７】
前記第２の送信手段は、前記撮像手段により撮像された画像のうち、前記枠画像によって囲まれた範囲以外の画像を黒画像に置換してから前記投影装置に送信することを特徴とする請求項６に記載の投影システム。
【請求項８】
前記投影装置は、前記投影面に投影する画像を変形する変形手段を有し、
前記変形手段は、前記投影面に前記撮像手段により得られた画像以外のを投影する場合と、前記撮像手段により得られた画像を投影する場合とで、変形状態を異ならせることを特徴とする請求項１から７のいずれか１項に記載の投影システム。
【請求項９】
前記変形手段は、前記撮像手段により得られた画像を投影する場合は、前記撮像手段により得られた画像を変形させないことを特徴とする請求項８に記載の投影システム。
【請求項１０】
撮像装置と接続可能な投影装置であって、
前記撮像手段により撮像された画像を受信する受信手段と、
前記第１の受信手段により受信された画像を投影面に投影する投影手段と、
前記投影装置の設置状態に関する情報を前記撮像装置に送信する送信手段とを有することを特徴とする投影装置。
【請求項１１】
前記投影装置の設置状態に関する情報は、前記投影装置の傾斜角に関する情報を含むことを特徴とする請求項１０に記載の投影装置。
【請求項１２】
前記投影装置の設置状態に関する情報は、前記投影装置の投影角に関する情報を含むことを特徴とする請求項１０または１１に記載の投影装置。
【請求項１３】
前記投影装置の設置状態に関する情報は、前記投影装置のズームレンズの状態に関する情報を含むことを特徴とする請求項１０から１２のいずれか１項に記載の投影装置。
【請求項１４】
前記投影装置の設置状態に関する情報は、前記投影装置のシフトレンズの状態に関する情報を含むことを特徴とする請求項１０から１３のいずれか１項に記載の投影装置。
【請求項１５】
前記投影面に投影する画像を変形する変形手段を有し、
前記変形手段は、前記投影面に前記撮像手段により得られた画像以外のを投影する場合と、前記撮像手段により得られた画像を投影する場合とで、変形状態を異ならせることを特徴とする請求項１０から１４のいずれか１項に記載の投影装置。
【請求項１６】
前記変形手段は、前記撮像手段により得られた画像を投影する場合は、前記撮像手段により得られた画像を変形させないことを特徴とする請求項１５に記載の投影装置。
【請求項１７】
投影装置と接続可能な撮像装置であって、
撮像手段と、
前記撮像手段により撮像された画像を前記投影装置に送信する送信手段と、
前記撮像手段により撮像された画像を表示する表示手段と、
前記投影装置の設置状態に関する情報を受信する受信手段と、を有し、
前記表示手段は、前記投影手段から送信された前記投影装置の設置状態に関する情報に基づく画像を前記撮像手段により撮像された画像に重畳して表示することを特徴とする撮像装置。
【請求項１８】
前記表示手段は、前記投影手段から送信された前記投影装置の設置状態に関する情報に基づく枠画像を前記撮像手段により撮像された画像に重畳して表示することを特徴とする請求項１７に記載の撮像装置。
【請求項１９】
前記送信手段は、前記撮像手段により撮像された画像のうち、前記枠画像によって囲まれた範囲以外の画像を黒画像に置換してから前記投影装置に送信することを特徴とする請求項１８に記載の撮像装置。
【手続補正２】
【補正対象書類名】明細書
【補正対象項目名】発明の名称
【補正方法】変更
【補正の内容】
【発明の名称】投影システム、投影装置及び撮像装置
【手続補正３】
【補正対象書類名】明細書
【補正対象項目名】０００１
【補正方法】変更
【補正の内容】
【０００１】
本発明は、投影システム、投影装置及び撮像装置に関する。
【手続補正４】
【補正対象書類名】明細書
【補正対象項目名】００１２
【補正方法】変更
【補正の内容】
【００１２】
本発明に係る投影システムは、撮像装置と、投影装置とからなる投影システムであって、前記投影装置は、前記撮像手段により撮像された画像を受信する第１の受信手段と、前記第１の受信手段により受信された画像を投影面に投影する投影手段と、前記投影装置の設置状態に関する情報を前記撮像装置に送信する第１の送信手段と、を有し、前記撮像装置は、撮像手段と、前記撮像手段により撮像された画像を前記投影装置に送信する第２の送信手段と、前記撮像手段により撮像された画像を表示する表示手段と、前記投影装置の設置状態に関する情報を受信する第２の受信手段と、を有し、前記表示手段は、前記投影手段から送信された前記投影装置の設置状態に関する情報に基づく画像を前記撮像手段により撮像された画像に重畳して表示することを特徴とする。
【手続補正５】
【補正対象書類名】明細書
【補正対象項目名】００１３
【補正方法】変更
【補正の内容】
【００１３】
本発明に係る投影装置は、撮像装置と接続可能な投影装置であって、前記撮像手段により撮像された画像を受信する受信手段と、前記第１の受信手段により受信された画像を投影面に投影する投影手段と、前記投影装置の設置状態に関する情報を前記撮像装置に送信する送信手段とを有することを特徴とする。
【手続補正６】
【補正対象書類名】明細書
【補正対象項目名】００１４
【補正方法】変更
【補正の内容】
【００１４】
本発明に係る撮像装置は、投影装置と接続可能な撮像装置であって、撮像手段と、前記撮像手段により撮像された画像を前記投影装置に送信する送信手段と、前記撮像手段により撮像された画像を表示する表示手段と、前記投影装置の設置状態に関する情報を受信する受信手段と、を有し、前記表示手段は、前記投影手段から送信された前記投影装置の設置状態に関する情報に基づく画像を前記撮像手段により撮像された画像に重畳して表示することを特徴とする。